(57)【要約】      （修正有）【課題】印鑑自体に一切の細工を施さず，各種サイズの汎用の印鑑を用いて，室内が暗い状態でも，印章文字が小さい場合でも，試し押しを必要とせず，書類に捺印した印影が斜めに傾いたり，上下が反転したりしない，最適な向きでの捺印が簡単，確実に実現でき，かつ，暗闇における簡易ライトとしても利用できる，多機能，小型，軽量な捺印ガイダンスを提供する。【解決手段】レンズ２の下にミラー１を配置して形成する光学系，ＬＥＤ光源３，電池５などで構成する捺印ユニット７に関して，手に持った印鑑９の印面をレンズ２上面に向け，ＬＥＤ光で照明し，レンズ２を通して印影をミラー１に映すとともに，ミラー１の印影の向き，傾きなどを目視確認しつつ，補正して，所定の捺印位置に捺印することにより，期待する向き，方向に捺印することが出来るとともに，ＬＥＤにより暗闇における簡易ライトとしても利用できる，多機能，小型，軽量な捺印ガイダンス。【選択図】図２
0003147135.tif 000002
【実用新案登録請求の範囲】
【請求項１】
レンズの下にミラーを配置する光学系，ＬＥＤ光源，電池などで構成する捺印ユニットを文書などの捺印対象面の捺印位置の近傍に配置し，印鑑の印面をレンズ上面に向け，ＬＥＤ光で照明し，レンズを通して印影をミラーに映すとともに，ミラーに映る印影の向き，傾きなどを補正して後に，補正された向き，傾きなどを保持しつつ，印鑑を所定の捺印位置に移動させて捺印することにより，印影を拡大して確認でき，かつ期待する向き，方向に捺印することが出来るとともに，ＬＥＤ照明により暗闇における簡易ライトとしても利用できる，多機能，小型，軽量な捺印ガイダンス。
【請求項２】
レンズの下に開閉移動可能なミラーを配置する光学系を備える捺印ユニットを，文書などの捺印対象面に配置し，ミラーを開いた状態でレンズの下の開口部に文書などの捺印対象面の捺印位置を設定して，ミラーを閉じ，ミラーに映る印鑑の印影の向き，傾きなどを補正し，補正された向き，傾きなどを保持しつつ，捺印ユニットを移動して所定の捺印位置に捺印するとともに，ＬＥＤ照明により暗闇における簡易ライトとして，ミラーを開いた状態ではルーペとしても利用できる，請求項１に記載する，多機能，小型，軽量な捺印ガイダンス。
【請求項３】
それぞれ独立に，または同時に開閉移動可能なレンズ，ミラーを配置する光学系を備える捺印ユニットを，文書などの捺印対象面に配置し，ミラーを開いた状態でレンズの下の開口部に捺印対象面の捺印位置を設定してミラーを閉じ，ミラーに映る印鑑の印影の向き，傾きなどを補正し，補正された向き，傾きなどを保持しつつ，レンズ，ミラーを共に開き，開口部で所定の捺印位置に捺印するとともに，ＬＥＤ照明により暗闇における簡易ライトとして，ミラーのみを開いた状態ではルーペとしても利用できる請求項１に記載する，多機能，小型，軽量な捺印ガイダンス。
【考案の詳細な説明】
【技術分野】
【０００１】レンズの下にミラーを配置する光学系，ＬＥＤ光源，電池などで構成する捺印ユニットに関して，手に持った印鑑の印面をレンズ上面に向け，ＬＥＤ光で照明し，レンズを通して印影をミラーに映すとともに，ミラーの印影の向き，傾きなどをレンズを通して目視確認しつつ補正して，所定の捺印位置に捺印することにより，印影を期待する向き，方向に捺印することが出来るとともに，ＬＥＤ照明により簡易ライトとしても利用できる，多機能，小型，軽量な捺印ガイダンス。
【背景技術】
【０００２】印章を書類などに押印する時は，印影が傾いたり上下が反転しないように気を使うものの，特に丸印ではどの向きで捺印すれば良いのかが解り難く，捺印結果が反転などしている場合は印象が悪い。これらの問題を解決するために，捺印前にメモ用紙などに試し印を押す，鏡で印影を確認する，印鑑に方向表示を付ける，ＬＥＤにより印影が投射表示される印鑑を使うなどさまざまな方法がとられるが，印鑑の性格上，メモ用紙などに不用意に捺印することは問題があり，鏡で印影を確認する方法は，訂正印などは印章文字が小さいため，室内が暗い時には文字の判別が困難である。さらに，印鑑自体に細工を施す方法は，全ての印鑑が細工されている訳ではないなど，細工の無い各種サイズの汎用の印鑑に支障なく適用可能な方法は実現されていないに等しい。
【考案が解決しようとする課題】
【０００３】印鑑自体に一切の細工を施さず，各種サイズの汎用の印鑑を用いて，室内が暗い状態でも，印章文字が小さい場合でも，試し押しを必要とせず，書類に捺印した印影が斜めに傾いたり，上下が反転したりしない，最適な向きでの捺印が簡単，確実に実現でき，かつ，暗闇における簡易ライトとしても利用できる，多機能，小型，軽量な捺印ガイダンスを提供する。
【課題を解決するための手段】
【０００４】レンズの下にミラーを配置して形成する光学系，ＬＥＤ光源，電池などで構成する捺印ユニットに関して，手に持った印鑑の印面をレンズ上面に向け，ＬＥＤ光で照明し，レンズを通して印影をミラーに映すとともに，ミラーの印影の向き，傾きなどを目視確認しつつ，補正して，所定の捺印位置に捺印することにより，期待する向き，方向に捺印することが出来るとともに，ＬＥＤにより暗闇における簡易ライトとしても利用できる，多機能，小型，軽量な捺印ガイダンス。
【考案の効果】
【０００５】印鑑自体に一切の細工を施さず，一般的な各種サイズの印鑑を用いて，暗い状態でもＬＥＤにより明るく照明し，訂正印などの印章文字が小さい場合でもレンズにより拡大し，印章文字の左右反転はミラーにより再反転されて読みやすい向きになるなど，試し押しを必要とせず，書類に捺印した印影が斜めに傾いたり，上下が反転したりしない，最適な向きでの捺印が簡単，確実に実現されるとともに，ＬＥＤにより暗闇における簡易ライトとしても利用できる。
【考案を実施するための最良の形態】
【０００６】図１は本考案による捺印ガイダンスの外観斜視図を示し，２はレンズ，３はＬＥＤ光源，４はＬＥＤスイッチ，７は捺印ユニットを示す。図２は側面概念図を示し，１はミラ，２はレンズ，３はＬＥＤ光源，４はＬＥＤスイッチ，５は電池，７は捺印ユニット，８はＬＥＤの光路，９は印鑑を示し，１０は印鑑の移動方向，１１は捺印対象の捺印位置を示す。【０００７】請求項１は，ミラー１はレンズ２の下に固定配置され，印鑑を手でレンズの上に持って行き，ＬＥＤを点灯して印面を照明し，レンズ２ならびにミラー１により拡大された印影を目視確認する。構成される光学系は，レンズが焦点内で虚像を形成するため，拡大された正立像となる。印鑑の印章文字は左右反転して刻印されているため，ミラーで再度左右反転されて通常の読み書きする向きとなるため，向きや傾きなどの判断が容易である。ＬＥＤの光軸は途中で遮蔽されずに印面に直接照射される構成が目視確認には効果的である。【０００８】請求項１に示す捺印ガイダンスを使用して捺印する場合には，図２に示すように，捺印ユニット７を文書などの捺印対象面の捺印位置１１の近傍に配置し，ＬＥＤを点灯し，印鑑９を手に持って印面をＬＥＤ光で照明し，印影をミラーに投影して，印章の傾きを確認し，万一傾いている場合には補正して後に，補正状態を維持して印鑑９を９→１０→９’→１０’と移動させて捺印位置１１に捺印する。印影の傾きなどをを補正するレンズ上面位置と捺印位置とは相互に近いため，移動により補正状態が崩れることは無く，望ましい傾き，向きで捺印される。またＬＥＤを点灯させて，暗闇などで鍵穴を探したりするなどの簡易ライトとしての利用も出来る。【０００９】請求項２に示す捺印ガイダンスを使用して捺印する場合には，捺印ユニットを，文書などの捺印対象面に配置し，ミラーを開いた状態でレンズを通しての開口部に捺印対象の捺印位置を設定して後に，ミラーを閉じ，印鑑の印面をレンズ上面に向け，ミラーに映る印影の向き，傾きなどを補正して後に，捺印ユニットを移動させて現れる捺印位置に印鑑を下に下ろす操作で捺印することことが出来，印鑑の移動を必要としないため，印鑑の補正された向き，傾きは確実に保持される。また，印影を拡大して確認でき，かつ期待する向き，方向に捺印することが出来るとともに，ミラーを開いた状態ではルーペとして，さらにＬＥＤ照明により簡易ライトとしても利用できる。ミラーは図１に示すミラー移動ノブ１３によりミラー移動スリット１２に沿って開閉移動させることが出来る。【００１０】請求項３においては，光学系のミラーとレンズが移動レバーによりそれぞれ独立または同時に開閉移動する構造である。ミラーを開いた状態でレンズを通しての開口部に捺印対象面の捺印位置を設定して後に，ミラーを閉じ，印鑑の印面をレンズ上面に向け，ミラーに映る印影の向き，傾きなどを補正して後に，レンズならびにミラーを移動させて形成される開口部で，印鑑を下に下ろす操作により捺印することが出来，捺印ユニット，印鑑のいずれも移動する必要がないため，印鑑の補正された向き，傾きは確実に保持される。また，印影を拡大して確認でき，かつ期待する向き，方向に捺印することが出来るとともに，ミラーを開いた状態ではルーペとして，さらにＬＥＤ照明により簡易ライトとしても利用できる。図３は，本考案による捺印ガイダンスの基本的な回路構成概略図を示し，ＬＥＤ３はスイッチ４のＯＮ，ＯＦＦにより，抵抗１４を介して，電池５で点灯される。
【実施例】
【００１１】筐体はプラスチックなどの合成樹脂材で構成し，レンズはプラスチツクの平凸レンズ，ミラーはアルミ蒸着のシートミラーを使用し，電池は３Ｖのリチュウム電池とした。ユニット外形は，幅：４０ｍｍ，長さ：６５ｍｍ，高さ：１５ｍｍである。レンズは凸レンズを使用し，材質はガラスでも良い。ミラーは，ガラスミラーまたは，表面に鏡面メッキを施した金属薄板でも良い。レンズ，ミラーの移動はスライドによる平行移動に限定されず，円弧状の開閉移動，または，ユニットから取り外す構造でも良い。【００１２】なお，捺印対象面で捺印ユニットがズレないように，捺印ユニットの裏面に摩擦抵抗の高いラバーなどの滑り止め部材を貼り付けたり，下面にマグネットを取り付け，捺印対象の裏面に薄い鉄板などの強磁性体を内装するマットを引いて，マットと捺印ユニットの間で捺印対象を挟みこんでズレないようにする構成をとることも有効であり，捺印ユニットの下面に強磁性体，マット側にマグネットを構成したり，両方ともにマグネットで構成しても良いなど，各種の素材，ディメンジョン，機能仕様などは適宜変更が可能であり，本考案の趣旨を逸脱しない範囲であれば種々変形実施が可能である。
【図面の簡単な説明】
【００１３】
【図１】本考案による捺印ガイダンスの外観斜視図を示す。
【図２】捺印ガイダンスの側面概念図を示す。
【図３】捺印ガイダンスの基本的な回路構成概略図を示す。
【符号の説明】
１  ミラー                      ９，  ９’  印鑑
２  レンズ                    １０，１０’  印鑑の移動方向
３  ＬＥＤ光源                １１          捺印位置
４  ＬＥＤスイッチ            １２          ミラー移動スリット
５  電池                      １３          ミラー移動ノブ
６  ミラー移動スペース        １４          抵抗
７  捺印ユニット
８  ＬＥＤの光路
【図１】
0003147135.tif 000003
【図２】
0003147135.tif 000004
【図３】
0003147135.tif 000005